(57)【要約】【課題】電気抵抗発熱式加熱手段のキー受付を無効にするロックキーを解除後、所定時間加熱入りキーによる入力待ちを行い、前記所定時間内にキー入力がなければ自動的に再ロックを行うことで、安全性と使い勝手の向上を図ること。【解決手段】電源スイッチを入時は、ラジェントヒーターは通電不可状態であるとともに、対応する表示部１２ｃには通電不可状態（自動ロック中）を表示し、ロック解除キー１１を操作すると所定時間ラジェント加熱入りキー１０ａによる入力操作待ちを行うと共に通電可能状態（自動ロック中の消去）になり、その後加熱入りキー１０ａ入力操作がないまま所定時間が経過すると再び通電不可状態（自動ロック中）を表示し、通電不可状態に戻る。【選択図】図３
2005265212.tif 000002
【特許請求の範囲】
【請求項１】
本体と、前記本体天面に設けたトッププレートと、前記トッププレート上に被加熱物を載置して加熱する複数の加熱部と、前記加熱部は少なくとも１つを誘導加熱手段とし、他を電気抵抗発熱式加熱手段とした複数の加熱手段と、前記本体に配し前記複数の加熱手段に対し、加熱条件を入力する操作部と、電源スイッチとを備え、前記誘導加熱手段および前記電気抵抗発熱式加熱手段に対応する前記操作部には加熱入切キーを備え、前記電気抵抗発熱式加熱手段にのみ前記加熱入切キーの入動作を制限するロック解除キーを備え、前記電源スイッチを入にした際、前記電気抵抗発熱式加熱手段は前記操作部に配した前記ロック解除キーを操作後、前記加熱入切キー操作により通電開始する構成において、前記電源スイッチ入時は、前記電気抵抗発熱式加熱手段は通電不可状態であるとともに、前記電気抵抗発熱式加熱手段に対応する前記表示部に通電不可状態を表示し、前記ロック解除キーを操作すると、所定時間前記電気抵抗発熱式加熱手段への入り動作入力待ちを行い、前記所定時間前記電気抵抗発熱式加熱手段への入り動作入力がなければ再度ロック状態に移行して通電不可状態となり、前記所定時間内に前記加熱入切キー操作により入り動作入力があれば、通電可能状態になるとともに通電不可状態の表示を消去して成る加熱調理器。
【請求項２】
ロック解除後の電気抵抗発熱式加熱手段への入り動作入力待ち時間は、所定の範囲で使用者が設定可能な請求項１に記載の加熱調理器。
【請求項３】
電気抵抗発熱式加熱手段は、加熱入切キー操作によって加熱開始し後、加熱を停止した際には、再度ロック状態に移行し通電不可状態を表示する請求項１または２に記載の加熱調理器。
【請求項４】
ロック解除キーによってロック解除を行う際には、解除報知を行う請求項１〜３のいずれか１項に記載の加熱調理器。
【請求項５】
ロック解除キーによってロック解除を行い、所定時間後再ロック移行を行う際には、ロック解除報知と異なる報知を行う請求項４に記載の加熱調理器。
【請求項６】
本体操作部は、天面に配した静電容量式タッチパネルキーの構成とした請求項１〜５のいずれか１項に記載の加熱調理器。
【発明の詳細な説明】
【技術分野】
【０００１】
本発明は、特にキッチンなどのキャビネットに組み込んで使用するインバータによる誘導加熱手段および電気抵抗発熱式加熱手段を有した一般家庭用加熱調理器に関するものである。
【背景技術】
【０００２】
従来の加熱調理器の構成を、図４に示す。
【０００３】
従来、この種の加熱調理器は特許文献１のように、加熱手段を無効にする入力無効手段を持ち、操作部の入力操作を受け付けない構成とし、誤操作やいたずら等によって加熱部が不意に入り状態にならないようにするものがある。
【０００４】
図４に示すように、本体２０を使用する場合は、鍋（図示せず）を加熱部２１に載置した後、電源スイッチ２４により電源をＯＮにし、次いで操作部２３の加熱入切キーに触れることにより、誘導加熱コイル２２が通電され、加熱が開始される。また加熱前の一定時間、ロックキー（図示せず）入力を行うことでロック状態に移行し加熱入操作を無効とし通電を開始しない、その後通電を開始するためにロック解除を行うにはロック移行後、再び一定時間前記ロックキー入力を行う構成である。
【特許文献１】特開２００３−２７２８１１号公報（第６頁、第１図）
【発明の開示】
【発明が解決しようとする課題】
【０００５】
しかしながら前記従来の構成では、電気抵抗発熱式加熱手段の加熱入り操作をする前に、使用者が前もって、ロックキー操作を行う（たとえば３秒間）ことでロック状態に移行させて加熱状態にさせないことで、安全性を高めるものであり、主電源投入直後は電気抵抗発熱式加熱手段の加熱入りを可能とした状態であるという課題を有していた。
【０００６】
本発明は前記従来技術の課題を解決するもので、電源スイッチを入りにし、誘導加熱手段の通電開始キーが受け付け状態になっている場合であっても、電気抵抗発熱式加熱手段は不用意に加熱開始させないことで、安全性の向上を図りつつ、ロック解除後は、所定時間のキー入力待ちを行うことで使用者の使用勝手も考慮し、所定時間内にキー入力がなければ、再度ロック状態に移行することで不用意に加熱開始を行わない加熱調理器を提供することを目的とする。
【課題を解決するための手段】
【０００７】
前記従来の課題を解決するために本発明の加熱調理器は、本体と、前記本体天面に設けたトッププレートと、前記トッププレート上に被加熱物を載置して加熱する複数の加熱部と、前記加熱部は少なくとも１つを誘導加熱手段とし、他を電気抵抗発熱式加熱手段とした複数の加熱手段と、前記本体に配し前記複数の加熱手段に対し、加熱条件を入力する操作部と、電源スイッチとを備え、前記誘導加熱手段および前記電気抵抗発熱式加熱手段に対応する前記操作部には加熱入切キーを備え、前記電気抵抗発熱式加熱手段にのみ前記加熱入切キーの入動作を制限するロック解除キーを備え、前記電源スイッチを入にした際、前記電気抵抗発熱式加熱手段は前記操作部に配した前記ロック解除キーを操作後、前記加熱入切キー操作により通電開始する構成において、前記電源スイッチを入時は、前記電気抵抗発熱式加熱手段は通電不可状態であるとともに、前記電気抵抗発熱式加熱手段に対応する前記表示部に通電不可状態を表示し、前記ロック解除キーを操作すると、所定時間前記電気抵抗発熱式加熱手段への入り動作入力待ちを行い、前記所定時間前記電気抵抗発熱式加熱手段への入り動作入力がなければ再度ロック状態に移行して通電不可状態となり、前記所定時間内に前記加熱入切キー操作により入り動作入力があれば、通電可能状態になるとともに通電不可状態の表示を消去するものである。
【０００８】
これにより、使用者がロック解除キーを押下後に加熱入切受け付け可能状態となるため、特に電気抵抗発熱式加熱手段を使用する際は、不用意に通電されにくくなることで、安全性を高めることができる。
【０００９】
また、使用者がロック解除した後、所定時間の加熱入切の入力待ちを所定時間設け、その間に入力がなければ再ロックに移行させることにより、ロック設定忘れを未然に防ぐと共に、その所定時間を設定可能とすることで、使用者が調理状況に応じて適時加熱調理器を使いやすくすることができる。
【発明の効果】
【００１０】
本発明の加熱調理器は、電源スイッチを入れた後、電気抵抗発熱式加熱手段の不用意な通電がされにくくなり、また、自動的にロック状態に移行させることで安全性を高めると共に、使用状況に応じてロック解除時間を調節することで使用者の使い勝手を向上することができる。
【発明を実施するための最良の形態】
【００１１】
第１の発明は、本体と、前記本体天面に設けたトッププレートと、前記トッププレート上に被加熱物を載置して加熱する複数の加熱部と、前記加熱部は少なくとも１つを誘導加熱手段とし、他を電気抵抗発熱式加熱手段とした複数の加熱手段と、前記本体に配し前記複数の加熱手段に対し、加熱条件を入力する操作部と、電源スイッチとを備え、前記誘導加熱手段および前記電気抵抗発熱式加熱手段に対応する前記操作部には加熱入切キーを備え、前記電気抵抗発熱式加熱手段にのみ前記加熱入切キーの入動作を制限するロック解除キーを備え、前記電源スイッチを入にした際、前記電気抵抗発熱式加熱手段は前記操作部に配した前記ロック解除キーを操作後、前記加熱入切キー操作により通電開始する構成において、前記電源スイッチを入時は、前記電気抵抗発熱式加熱手段は通電不可状態であるとともに、前記電気抵抗発熱式加熱手段に対応する前記表示部に通電不可状態を表示し、前記ロック解除キーを操作すると、所定時間前記電気抵抗発熱式加熱手段への入り動作入力待ちを行い、前記所定時間前記電気抵抗発熱式加熱手段への入り動作入力がなければ再度ロック状態に移行して通電不可状態となり、前記所定時間内に前記加熱入切キー操作により入り動作入力があれば、通電可能状態になるとともに通電不可状態の表示を消去するものである。
【００１２】
これにより、電気抵抗発熱式加熱手段を使用する際は、使用者がロック解除した後、加熱入切の入力がなければ再ロックに移行させることにより、ロック忘れを未然に防ぐことができ、不用意な通電状態に移行させなくすることができる。
【００１３】
第２の発明は、特に第１の発明の動作において、ロック解除後の電気抵抗発熱式加熱手段への入り動作入力待ち時間を所定の範囲で使用者が設定可能とすることで、使用者は調理状況に応じて、任意に使用するまでの時間を選択することができる。
【００１４】
第３の発明は、特に第１または２の発明において、電気抵抗発熱式加熱手段は、加熱入切キー操作によって加熱開始し後、加熱を停止した際には、再度ロック状態に移行し通電不可状態を表示するもので、電気抵抗発熱式加熱手段による加熱が停止している場合は、必ず通電不可状態の表示と通電開始まで少なくとも２段回の操作を備えるので、不用意な電気抵抗発熱式加熱手段への通電を防ぐものである。
【００１５】
第４の発明は、特に第１〜３のいずれか１つの発明において、ロック解除キーによってロック解除を行う際には、解除報知を行う構成とすることで、使用者にロック中からロック解除状態へ移行したことを分かりやすくすることができる。
【００１６】
第５の発明は、特に第４の発明において、ロック解除キーによってロック解除を行い、所定時間後再ロック移行を行う際には、ロック解除報知と異なる報知を行う構成とすることで、使用者に再びロック解除中からロック状態へ移行したことを分かりやすくすることができる。
【００１７】
第６の発明は、特に第１〜５のいずれか１つの発明において、天面に配した静電容量式タッチパネルキーの構成とすることで、トッププレートに印刷された電極部を使用者が触れることで電気的容量が変化することに反応するスイッチなので、使用者の不用意なキー入力、または、使用者以外の物が接触することで不用意なキー入力が行われやすい構造に対する安全性を高めつつ、天面に凹凸がないためキッチンに対するスタイリッシュな外観デザインを実現あるいは向上することができる。
【００１８】
以下、本発明の実施の形態について、図面を参照しながら説明する。なお、この実施の形態によって本発明が限定されるものではない。
【００１９】
（実施の形態１）
本発明の実施の形態１について、図１と図２および図３により説明する。
【００２０】
図１から図３は、本発明の第１の実施の形態における加熱調理器の平面図、斜視図、および部分拡大図を示すものである（図中で同一構成のものは同一番号を付与する）。
【００２１】
図１において、調理器本体１はキッチンキャビネット２のワークトップ３に上から落とし込んで組み込まれている。本体１の上面は結晶化ガラスを素材としたトッププレート４の周囲をプレート枠１３で囲んで覆われている。また、図２に示すようにトッププレート４には誘導加熱部５ａ、５ｂ、およびラジェントヒーター部６を配置し、トッププレート４を構成する部材内前部には誘導加熱部５ａ、５ｂ、およびラジェントヒーター部６に対応する誘導加熱操作部７ａ、７ｂ、およびラジェント操作部１０が配されている。操作部７ａ、７ｂ、１０はトッププレート４に印刷された電極部を触れることで電気的容量が変化することに反応する静電容量式のタッチキーとし、天面に凹凸がないため手入れなどの取扱いがしやすい平面接触式を実現している。
【００２２】
誘導加熱部５ａ、５ｂ、およびラジェントヒーター部６に対応する本体内部には誘導加熱手段を構成する加熱コイル（図示せず）と、加熱コイル後方に電気抵抗発熱式加熱手段であるラジェントヒーター８が配されている。加熱コイルの電源回路である通電制御回路（図示せず）が加熱コイルの下方に配され、回路ユニット（図示せず）に対応した前方で操作回路ユニット下の位置にそれぞれ冷却ファン（図示せず）を配置し、その下方の本体１底面には吸気口（図示せず）がある。また、プレート枠１３の右前角部には、プレート枠１３で囲った電源スイッチ９が配されている。
【００２３】
また、電気抵抗発熱式加熱手段であるラジェントヒーター８に対応する操作部１０には、図３に示すようにラジェント加熱入切キー１０ａと、火力を調節する火力アップキー１０ｂと、火力ダウンキー１０ｃと、ラジェント加熱入切キー１０ａの入動作を可能にするロック解除キー１１とを備え、誘導加熱手段である加熱コイルに対応する操作部７ａ、７ｂにはラジェントヒーター８と同様に誘導加熱手段の加熱入切キーおよび、アップキー、ダウンキーとを備え、電源スイッチ９を入にした際には、ラジェントヒーター８は操作部１０に配したロック解除キー１１を操作後、ラジェント加熱入切キー１０ａの操作により通電開始し、加熱コイルは操作部７ａ、７ｂに配した加熱入切キー操作により通電を開始する。また、図２のように、加熱コイルおよびラジェントヒーター８に対応した操作部７ａ、７ｂ、１０に近接して、それぞれの入力状態を示す表示部１２ａ、１２ｂ、１２ｃとを備える。表示部１２ａ、１２ｂ、１２ｃはＬＣＤにより入力状態やタイマー時間、設定温度などを表示するもので、電源スイッチ９が入り時点は、ラジェントヒーター８は通電不可状態であるとともに、ラジェントヒーター８に対応する表示部１２ｃには通電不可状態を、例えば図３に示すように、文字で「自動ロック中」をＬＣＤに表示し、ロック解除キー１１を操作するとラジェントヒーター８が通電可能状態になるとともに通電不可状態の表示「自動ロック中」を消去する。
【００２４】
また、表示部１２ａ、１２ｂ、１２ｃにはＬＣＤ表示内容が視認しやすいようバックライトを設けてあり、電源スイッチ９の入りと切りに連動して、加熱コイルおよびラジェントヒーター８に対応した複数の表示部部１２ａ、１２ｂ、１２ｃのＬＣＤバックライトが点灯および消灯する。
【００２５】
さらに、ラジェントヒーター８はロック解除キー１１を操作後、所定時間（例えば１０秒間）のラジェント加熱入切キー１０ａ入力待ち状態へ移行し、前記所定時間内でラジェント加熱入切キー１０ａの入力がなければ、再びロック解除中からラジェントロック状態へ移行する、即ち電源スイッチ９を入れた直後の表示部１２ｃと同様に通電不可状態の表示「自動ロック中」を表示する。
【００２６】
また、ラジェントヒーター８はロック解除キー１１を操作後、所定時間（例えば１０秒間）のラジェント加熱入切キー１０ａ入力待ち状態へ移行し、前記所定時間内でラジェント加熱入切キー１０ａを操作したキー入力があれば加熱を開始し、さらに再度加熱入切キー１０ａを操作して加熱停止した際は、電源スイッチ部９を入れた直後の表示部１２ｃと同様に通電不可状態の表示「自動ロック中」を表示する。
【００２７】
また、所定時間設定キー（図示せず）を操作することにより所定時間を設定できる。
【００２８】
以上のように構成された加熱調理器について、以下その動作、作用を説明する。
【００２９】
まず、ラジェントヒーター部６を使用する際の、上面に操作部７ａ、７ｂ、１０、表示部１２ａ、１２ｂ、１２ｃ、電源スイッチ９を全て集約した本体１での操作は、ラジェントヒーター８の加熱開始までに、電源スイッチ９と、ロック解除キー１１とラジェント加熱入切キー１０ａとの３段階の操作手順になる。加えて、電源スイッチ９を入れた際は表示部１２ｃには通電不可状態を表示し、ロック解除キー１１を操作した際は通電不可状態の表示を消去するので、操作１段階毎に表示状態が変化して使用者に知らせ、電気抵抗発熱式加熱手段の不用意な通電をされにくくできる。また、ロック解除キー１１を操作した後、ラジェント加熱入切キー１０ａの操作までの入力待ちを所定時間設けるため、ラジェント加熱入り入力を行わなかった際には、所定時間後自動的にロック状態へ移行するため、ロック解除後の再ロック設定忘れを防ぐことができる。
【００３０】
また、ロック解除キー１１を操作した後、ラジェント加熱入切キー１０ａの操作までの入力待ち所定時間を使用者が必要に応じて変更できるようにすることで、例えば、再ロック忘れを重視して使用するならば、所定時間を短く（たとえば３秒）することができ、別の場合には、ロック解除後ラジェント加熱を行うまでに材料投入などの作業を行うことを重視して、所定時間を長く（たとえば６０秒）することができるため、使用者が調理時の使用勝手の状況に応じて入力待ち所定時間を適時変更することができる。
【００３１】
また、ロック解除キー１１を操作した際に報知（例えば、「ピッ」）すれば、ロック解除を行ったことを使用者に分かりやすく認識させることができ、かつ所定時間経過後、再ロック状態に移行する際には、ロック解除時の報知とは異なる報知（例えば、「ピピピッ」）すれば、ロック解除中から再ロックに移行したとも使用者に分かりやすく認識させることができる。
【００３２】
なお、ラジェントヒーター８が通電可能状態になるとともに通電不可状態の表示は「自動ロック中」に限るものではなく、ラジェントヒーター８が通電可能状態であることが理解できれば、別の文字や絵などであってもよい。
【００３３】
また、操作部のキー構成を、天面に配した静電容量式タッチパネルキーの構成とすることで、天面に備わるタッチパネルの不用意なキー入力、特にラジェント加熱入切キー１０ａの触れにより赤熱する加熱手段であるラジェントヒーター８の不用意な通電を起こりにくくすることで火傷を防ぐなどの安全性を高めると共に、天面に凹凸がないためキッチンに対するスタイリッシュな外観デザインを実現あるいは向上することができる。
【００３４】
以上のように、本実施例の形態においては、操作１段階毎に表示状態が変化して、電気抵抗発熱式加熱手段の不用意な通電がされにくくなると共に、ラジェントロック解除後、所定時間ラジェント加熱入りキーの入力待ちを行い、そのまま所定時間経過後には再びロック状態に移行することで、ロック解除後の再ロック設定忘れを防止すると共に、前記所定時間を使用者が設定できることで、使いやすさも向上することができる。
【００３５】
また、本実施の形態では、電源スイッチ９の入り切りに連動して、加熱コイルおよびラジェントヒーター８に対応した複数の表示部１２ａ、１２ｂ、１２ｃのＬＣＤバックライトが点灯および消灯する。電源スイッチ９を入れた際の、ラジェントヒーター８の表示部１２ｃが通電不可状態「自動ロック中」の表示により、ラジェント加熱入切キー１０ａを操作しても通電加熱できないこと、および、ロック解除キー１１を操作した際の通電不可状態「自動ロック中」の表示消去を、表示部１２ｃのバックライト点灯により明確に視認できる。また、ロック解除キー１１を操作した際は通電不可状態の表示「自動ロック中」が所定時間の間消去され、表示部１２ｃの状態が他の加熱手段である誘導加熱手段の表示と同一な、表示部１２ａ、１２ｂ、１２ｃのバックライトが点灯されるのみになり、共通に通電加熱可能状態であることが明確に判別できる。
【００３６】
また、表示部１２ａ、１２ｂ、１２ｃがＬＣＤバックライトで照らされるので、通電不可状態の表示「自動ロック中」をより読み取りしやすい。
【００３７】
また、本実施の形態では、ラジェントヒーター８はロック解除キー１１とラジェント加熱入切キー１０ａを操作して加熱開始した後加熱停止した際は、本体１通電始め時に電源スイッチ９入り後と同様に、表示部１２ｃに通電不可状態「自動ロック中」を表示するもので、静電容量式など平面接触式操作部において、ラジェントヒーター８による加熱が停止している場合は、必ず「自動ロック中」など通電不可状態の表示と通電開始までロック解除キー１１とラジェント加熱入切キー１０ａの２段以上の操作を備えており、不用意な電気抵抗発熱式加熱手段の通電を起こりにくくできる。
【００３８】
なお、ラジェントヒーター８を一旦加熱開始した後、加熱を停止する場合として、再度ラジェント加熱入切キー１０ａを操作して調理終了する場合や、ラジェントヒーター８が所定時間連続通電後自動的に加熱停止する場合、ラジェントヒーター８に対応した操作部１０にタイマーがあり、タイマー設定時間後にラジェントヒーター８が加熱停止する場合などがある。
【００３９】
電源スイッチ９入り後、ＬＣＤバックライトが点灯するものにあっては、「自動ロック中」の文字有無という状態変化がより識別しやすくなり、不用意な電気抵抗発熱式加熱手段の通電がより起こりにくくなる。
【産業上の利用可能性】
【００４０】
以上のように、本発明にかかる加熱調理器は、電気抵抗発熱式加熱手段は操作部に配したロック解除キーを操作後、所定時間加熱入りへの動作入力待ちを行い、所定時間内に加熱入切キー入力があれば通電開始し、加熱入切キー入力がないまま所定時間が経過すると、再ロック状態に自動移行するもので、電気抵抗発熱式加熱手段を使用する際は、ロック設定忘れを未然に防ぐと共に不用意に通電されにくくなることで、安全性を高めることができ、また使用者がその所定時間を任意に適時設定可能であることから、使用者の使い勝手を向上することができるので組み込み式の加熱調理器等に適用できる。
【図面の簡単な説明】
【００４１】
【図１】本発明の実施の形態１における加熱調理器の斜視図
【図２】本発明の実施の形態１における加熱調理器の平面図
【図３】本発明の実施の形態１における加熱調理器の部分拡大図
【図４】従来例における加熱調理器の斜視図
【符号の説明】
【００４２】
１  本体
４  トッププレート
５ａ、５ｂ、６  加熱部
７ａ、７ｂ、１０  操作部
８  電気抵抗発熱式加熱手段
９  電源スイッチ
１１  ロック解除キー
１２ａ、１２ｂ、１２ｃ  表示部
【図１】
2005265212.tif 000003
【図２】
2005265212.tif 000004
【図３】
2005265212.tif 000005
【図４】
2005265212.tif 000006